(57)【特許請求の範囲】
【請求項１】
空気導入用の開口部を有し、その中心部に複数の支持桁により支持されたモータ保持部を設けたシュラウドと、該シュラウドの前記モータ保持部に固定支持されたモータと、該モータの回転軸部に連結されるハブ部を有し、その外周に複数枚のファンブレードを設けた軸流ファンと、前記モータの背面側に隙間をあけて取り付けられた遮熱板と、を備えたファンモータにおいて、
前記遮熱板には、外周部の少なくとも一箇所に半径方向外方側に突出されたヘラ状の導風部が設けられ、
前記導風部は、外方側に向って漸次幅が狭くされるとともに、ファン回転方向先行側縁部が円弧状とされていることを特徴とするファンモータ。
【請求項２】
前記導風部は、ファン回転方向追従側縁部が直線状とされていることを特徴とする請求項１に記載のファンモータ。
【請求項３】
前記導風部の回転方向先行側縁部には、送風方向の上流側に折り曲げられたガイド部が設けられ、前記導風部の回転方向追従側縁部には、送風方向の下流側に折り曲げられたガイド部が設けられていることを特徴とする請求項１または２に記載のファンモータ。
【請求項４】
前記導風部は、前記遮熱板の外周部に２箇所以上設けられることを特徴とする請求項１ないし３のいずれかに記載のファンモータ。
【請求項５】
前記２箇所以上に設けられる導風部のピッチ角は、前記ファンブレードのピッチ角の非整数倍とされていることを特徴とする請求項４に記載のファンモータ。
【請求項６】
前記遮熱板には、前記導風部を除く外周縁部に送風方向の下流側に折り曲げられた円弧状ガイド部が設けられていることを特徴とする請求項１ないし５のいずれかに記載のファンモータ。
【請求項７】
前記遮熱板には、その外周部位に中央部から送風方向の風上側に向う円錐状のスロープが設けられていることを特徴とする請求項１ないし６のいずれかに記載のファンモータ。
【請求項８】
前記遮熱板は、前記導風部の円弧状としたファン回転方向先行側縁部が前記軸流ファンの回転方向先行側に配置されるとともに、前記導風部の直線状としたファン回転方向追従側縁部が前記軸流ファンの回転方向追従側に配置される方向に取り付けられていることを特徴とする請求項１ないし７のいずれかに記載のファンモータ。
【請求項９】
前記遮熱板は、前記導風部が前記シュラウドの前記支持桁の少なくとも１つと重なり合う位置に配置されるように取り付けられていることを特徴とする請求項１ないし８のいずれかに記載のファンモータ。
【請求項１０】
前記遮熱板は、前記導風部が前記シュラウドの前記支持桁の間に配置されるように取り付けられていることを特徴とする請求項１ないし８のいずれかに記載のファンモータ。
【請求項１１】
前記モータ保持部に固定支持される前記遮熱板および／または前記モータの固定部は、前記遮熱板の外周部よりも内周側位置に配設されていることを特徴とする請求項１ないし１０のいずれかに記載のファンモータ。
【発明の詳細な説明】
【技術分野】
【０００１】
本発明は、車両用のラジエータあるいはコンデンサ等の冷却に用いられる、ファンとモータとが一体化されたファンモータに関するものである。
【背景技術】
【０００２】
空調装置が搭載される車両において、エンジンの冷却水を冷却するラジエータと空調装置用のコンデンサとを一体化して車両のフロントグリル後方のエンジンルーム内に設置する場合がある。このラジエータおよびコンデンサには、冷却空気を通風するために、ファンとモータとを一体化したファンモータが一体的に組み込まれている。また、このファンモータは、一般に、空気導入用の開口部を有し、その中心部に複数の支持桁により支持されたモータ保持部を設けた樹脂製のシュラウドと、このシュラウドのモータ保持部に固定支持された小型モータと、モータの回転軸部に連結されるハブ部を有し、その外周に複数枚のファンブレードを設けた樹脂製の軸流ファンとを備えた構成とされている。
【０００３】
上記ファンモータは、モータを含む全ての部分が、エンジンルーム内の高温雰囲気中に設置されることが多く、熱源であるエンジンからの熱的影響を受け、異常高温となる場合がある。このため、モータ特性の悪化や寿命低下等の原因となるとともに、モータを支持するシュラウドが樹脂製のものでは、モータ固定部のボルトの弛みやモータ支持部の熱変形あるいは溶融につながる可能性もあった。そこで、従来から、モータ自体の耐熱性向上や金属製シュラウドの使用等の対策が進められているほか、モータ後方に金属製の遮熱板を付加してエンジン側からの輻射熱を遮蔽したり、通風路中に突出するヘラ状の導風板を設けてモータ周りに冷却風を導入して強制冷却したりする等の対策が採られている（例えば、特許文献１参照）。
【０００４】
【特許文献１】特開２００７−４０２００号公報
【発明の開示】
【発明が解決しようとする課題】
【０００５】
しかしながら、近年の車両におけるエンジンルーム高密度化に伴うファンモータ周辺温度の更なる上昇によって、上記のような対策のみでは、冷却不足に陥る可能性がある。つまり、ファンモータが高熱部とより接近して配置されることによって、輻射熱の影響がますます大きくなることに加えて、モータ自身が自己発熱するため、より効果的な熱対策が求められている。稚拙な熱対策、冷却対策は、熱害によるトラブル発生や、コストおよび重量の増加に止まらず、ファン騒音の増大やファン性能およびファン効率の悪化を誘発することになる。
【０００６】
本発明は、このような事情に鑑みてなされたものであって、ファンモータの自己冷却機能の向上とファン騒音の低減とを両立させ、外部輻射熱や自己発熱による熱害やトラブル等の発生、あるいはファン騒音やファン性能およびファン効率の悪化等を防止することができるファンモータを提供することを目的とする。
【課題を解決するための手段】
【０００７】
上記課題を解決するために、本発明のファンモータは、以下の手段を採用する。
すなわち、本発明にかかるファンモータは、空気導入用の開口部を有し、その中心部に複数の支持桁により支持されたモータ保持部を設けたシュラウドと、該シュラウドの前記モータ保持部に固定支持されたモータと、該モータの回転軸部に連結されるハブ部を有し、その外周に複数枚のファンブレードを設けた軸流ファンと、前記モータの背面側に隙間をあけて取り付けられた遮熱板と、を備えたファンモータにおいて、前記遮熱板には、外周部の少なくとも一箇所に半径方向外方側に突出されたヘラ状の導風部が設けられ、前記導風部は、外方側に向って漸次幅が狭くされるとともに、ファン回転方向先行側縁部が円弧状とされていることを特徴とする。
【０００８】
本発明によれば、遮熱板の外周部から突出されたヘラ状の導風部は、外方側に向って漸次幅が狭くされ、ファン周速の速い外方側の幅が狭く、ファン周速の遅い内方側の幅が広くされているため、導風部とファンブレードとの間の圧力干渉に伴う離散周波数騒音を低減することができる。また、導風部のファン回転方向先行側縁部が円弧状とされているため、軸流ファンから吹き出される吹出し風の風向を滑らかに変更して遮熱板の半径方向中心側へと誘導し、遮熱板の内面側に効率よく導風することができる。これによって、モータと遮熱板との間に効果的に冷却風を導入し、モータ周りの冷却効果を高めることができる。従って、ファンモータの自己冷却機能の向上とファン騒音の低減とを両立させ、外部輻射熱や自己発熱による熱害やトラブル等の発生、あるいはファン騒音やファン性能およびファン効率の悪化等を確実に防止することができる。
【０００９】
さらに、本発明のファンモータは、上記のファンモータにおいて、前記導風部は、ファン回転方向追従側縁部が直線状とされていることを特徴とする。
【００１０】
本発明によれば、導風部のファン回転方向追従側縁部が直線状とされているため、導風部の外方側（先端側）の幅を狭くしながら、導風部として必要な面積を確保することができる。これにより、必要かつ十分な量の冷却風を遮熱板の内面側に導き、モータ周りの冷却効果を高めることができる。
【００１１】
さらに、本発明のファンモータは、上述のいずれかのファンモータにおいて、前記導風部の回転方向先行側縁部には、送風方向の上流側に折り曲げられたガイド部が設けられ、前記導風部の回転方向追従側縁部には、送風方向の下流側に折り曲げられたガイド部が設けられていることを特徴とする。
【００１２】
本発明によれば、導風部の回転方向追従側縁部に設けられたガイド部により軸流ファンからの吹出し風を導風部に誘導し、回転方向先行側縁部に設けられたガイド部により、上記誘導風の通り抜けを防止して吹出し風の捕捉を促進し、冷却風を遮熱板の内面側に効果的に導風することができる。これにより、必要かつ十分な量の冷却風を遮熱板の内面側に導き、モータ周りの冷却効果を高めることができる。
【００１３】
さらに、本発明のファンモータは、上述のいずれかのファンモータにおいて、前記導風部は、前記遮熱板の外周部に２箇所以上設けられることを特徴とする。
【００１４】
本発明によれば、ファンモータの容量増大や設置環境温度の上昇等に対応すべく、冷却性能を向上させる必要が生じた場合、導風部を遮熱板の外周部に２箇所以上設けることによって、冷却能力を簡単に増大することができる。従って、上記のニーズにも容易に対応することができる。
【００１５】
さらに、本発明のファンモータは、上記のファンモータにおいて、前記２箇所以上に設けられる導風部のピッチ角は、前記ファンブレードのピッチ角の非整数倍とされていることを特徴とする。
【００１６】
本発明によれば、導風部を２箇所以上に設ける場合、そのピッチ角は軸流ファンブレードのピッチ角の非整数倍とされるため、特定の周波数領域での圧力干渉に伴う離散周波数騒音の増大を防止することができる。これにより、ファン騒音を確実に抑制しながら、冷却能力の増大を図ることができる。
【００１７】
さらに、本発明のファンモータは、上述のいずれかのファンモータにおいて、前記遮熱板には、前記導風部を除く外周縁部に送風方向の下流側に折り曲げられた円弧状ガイド部が設けられていることを特徴とする。
【００１８】
本発明によれば、遮熱板の外周縁部に設けられている円弧状ガイド部により、遮熱板の内面側に導入された後その外周部から吹き出される冷却風と、軸流ファンから吹き出される吹出し風とをスムーズに合流して下流側に流すことができる。これにより、冷却風量を増大し、自己冷却機能を高めることができると同時に、吹出し風の乱れによる騒音発生を防止することができる。
【００１９】
さらに、本発明のファンモータは、上述のいずれかのファンモータにおいて、前記遮熱板には、その外周部位に中央部から送風方向の風上側に向う円錐状のスロープが設けられていることを特徴とする。
【００２０】
本発明によれば、遮熱板の外周部位に設けられた円錐状のスロープにより、モータ背面と遮熱板との間の隙間断面積を外周部位ほど漸次小さくすることができるため、導風部により遮熱板の内面側に導入された冷却風を減速することなく、遮熱板の外周部から吹き出すことができる。これによって、遮熱板内面側の圧力上昇を抑制して冷却風量の増大を図り、自己冷却機能を高めることができる。
【００２１】
また、本発明のファンモータは、上述のいずれかのファンモータにおいて、前記遮熱板は、前記導風部の円弧状としたファン回転方向先行側縁部が前記軸流ファンの回転方向先行側に配置されるとともに、前記導風部の直線状としたファン回転方向追従側縁部が前記軸流ファンの回転方向追従側に配置される方向に取り付けられていることを特徴とする。
【００２２】
本発明によれば、軸流ファンの回転により吹き出される吹出し風を、ファン回転方向先行側縁部を円弧状、ファン回転方向追従側縁部を直線状として外方側ほど漸次幅狭とされた導風部により、遮熱板の半径方向中心側へと偏向し、ファンモータの冷却風として遮熱板の内面側に効率的に誘導することができる。これにより、導風部とファンブレードとの間の圧力干渉に伴う離散周波数騒音を抑制しつつ、モータと遮熱板との間に効果的に冷却風を導入し、モータ周りの冷却効果を高めることができる。従って、ファンモータの自己冷却機能の向上とファン騒音の低減とを両立させ、外部輻射熱や自己発熱による熱害やトラブル等の発生、あるいはファン騒音やファン性能およびファン効率の悪化等を確実に防止することができる。
【００２３】
さらに、本発明のファンモータは、上述のいずれかのファンモータにおいて、前記遮熱板は、前記導風部が前記シュラウドの前記支持桁の少なくとも１つと重なり合う位置に配置されるように取り付けられていることを特徴とする。
【００２４】
本発明によれば、導風部がシュラウドの支持桁の少なくとも１つと重なり合う位置に配置されるため、導風部によってもシュラウドを構成する支持桁の一部を遮熱することができる。これにより、遮熱板による遮熱機能をより充実させることができる。
【００２５】
さらに、本発明のファンモータは、上述のいずれかのファンモータにおいて、前記遮熱板は、前記導風部が前記シュラウドの前記支持桁の間に配置されるように取り付けられていることを特徴とする。
【００２６】
本発明によれば、導風部がシュラウドの支持桁の間に配置されるため、支持桁に邪魔されることなく、軸流ファンからの吹出し風を導風部により遮熱板の内面側に誘導することができる。従って、必要かつ十分な量の冷却風を遮熱板の内面側に導き、モータ周りの冷却効果を高めることができる。
【００２７】
さらに、本発明のファンモータは、上述のいずれかのファンモータにおいて、前記モータ保持部に固定支持される前記遮熱板および／または前記モータの固定部は、前記遮熱板の外周部よりも内周側位置に配設されていることを特徴とする。
【００２８】
本発明によれば、モータ保持部に固定支持される遮熱板および／またはモータの固定部（固定ボルト等）が、遮熱板の外周部よりも内周側位置に配設されているため、熱源に晒される遮熱板本体や自己発熱するモータの固定部を遮熱板の内面側に導入される冷却風によって、効果的に冷却することができる。従って、外部輻射熱や自己発熱に起因する熱害やトラブルの発生を確実に防止することができる。
【発明の効果】
【００２９】
本発明によると、導風部とファンブレードとの間の圧力干渉に伴う離散周波数騒音を抑制しつつ、モータと遮熱板との間に効果的に冷却風を導入し、モータ周りの冷却効果を一段と高めることができる。このため、ファンモータの自己冷却機能の向上とファン騒音の低減とを両立させ、外部輻射熱や自己発熱による熱害やトラブル等の発生、あるいはファン騒音やファン性能およびファン効率の悪化等を確実に防止することができる。
【発明を実施するための最良の形態】
【００３０】
以下に、本発明にかかる実施形態について、図面を参照して説明する。
［第１実施形態］
以下、本発明の第１実施形態について、図１ないし図３を用いて説明する。
図１には、本発明の第１実施形態にかかるファンモータ１の遮熱板側から見た側面図が示され、図２には、その中心部分の縦断面図が示されている。
ファンモータ１は、シュラウド２と、シュラウド２の中心部に固定支持される小型の電動モータ３（図２参照）と、モータ３により回転駆動される軸流ファン４と、モータ３の背面側を遮熱する遮熱板５とから構成されている。
【００３１】
シュラウド２は、図１に示すように、空気導入用の開口部２１を設けた四角形状の枠状本体２２と、枠状本体２２に放射状に設けられた複数本の支持桁２３を介して開口部２１の中心部に支持されたモータ保持部２４（図２参照）と、枠状本体２２の各コーナー部に設けられた取り付け脚２５とを有している。シュラウド２は、図示省略のラジエータおよびコンデンサの背面側に取り付け脚２５を介して取り付けられ、ラジエータおよびコンデンサを通して空気を流通させる機能を担うものであり、耐熱性のガラス入りポリポロピリン樹脂（ＰＰ）により一体成形されている。
【００３２】
モータ３は、薄型の円盤状をなしたブラシレスモータであり、中心部に回転軸部３１を有している。このモータ３は、シュラウド２のモータ保持部２４に図示省略の固定ボルト等を介して固定支持されている。
【００３３】
軸流ファン４は、モータ３を収容可能な形状に構成されたハブ部４１と、ハブ部４１の外周に設けられた複数枚のファンブレード４２とを有する樹脂製のプロペラファンであって、耐熱性のガラス入りポリポロピリン樹脂（ＰＰ）により一体成形されている。この軸流ファン４は、ハブ部４１がモータ３の回転軸部３１に連結され、モータ３を駆動源としてシュラウド２の開口部２１内で回転駆動されるように構成されている。なお、ファンブレード４２の枚数は任意でよい。
【００３４】
遮熱板５は、金属製の薄板により構成された略円形状の円板であり、その外径は、図１および図２に示されるように、モータ３の背面側およびシュラウド２のモータ保持部２４の外周を蔽う大きさとされている。この遮熱板５は、モータ３の背面に対して所定の隙間５１をあけた状態で、シュラウド２のモータ保持部２４に図示省略の固定ボルトを介して固定支持されている。また、遮熱板５には、その外周の一箇所に半径方向外方側に突出されたヘラ状ないしはしゃもじ状の導風部５２が一体に設けられている。
【００３５】
導風部５２は、図３に示されるように、ファン回転方向先行側縁部５３が円弧状とされるとともに、ファン回転方向追従側縁部５４が直線状とされており、外方側に向って漸次幅が狭くなるような形状とされ、その先端側の角部は、それぞれ滑らかなアール（Ｒ）で接続されている。導風部５２は、図１に示されるように、軸流ファン４から吹き出される吹出し風の通風路中に突出されるように配置される。
【００３６】
また、遮熱板５は、導風部５２から遮熱板５の中央部に至る内面側、すなわち軸流ファン４からの吹出し風を受ける側の面が僅かに凹状５５（図２および図４参照）とされ、吹出し風を遮熱板５の中心側へと誘導し易い形状とされている。
なお、本実施形態において、モータ３に対しては、電源からハーネス６を介して電力が供給されるようになっており、ハーネス６は、シュラウド２の支持桁２３に沿ってモータ３側に配線されている。
【００３７】
以上に説明の構成により、本実施形態によれば、以下の作用効果を奏する。
モータ３の駆動によって軸流ファン４が回転駆動されると、ラジエータおよびコンデンサを通してシュラウド２の前面から吸い込まれた空気は旋回流となってシュラウド２の背面側に吹き出される。この際、ファンモータ１は、モータ３自身が回転駆動により発熱するとともに、エンジンルーム内において高温雰囲気に晒されており、エンジン等からの輻射熱を受ける。このため、輻射熱を遮蔽すると同時に、モータ３周りについては強制冷却する必要がある。
【００３８】
本実施形態では、モータ３およびシュラウド２のモータ保持部２４の背面側を遮熱板５により蔽っているため、エンジン側からの輻射熱を遮熱板５によって遮蔽し、輻射熱による熱負荷を軽減することができる。一方、軸流ファン４からの吹出し風の一部をその通風路中に突出されている遮熱板５のヘラ状の導風部５２で受け、モータ３の背面側と遮熱板５との間の隙間５１を通して遮熱板５の内面側の中央部へと誘導し、モータ３を背面から強制冷却することができる。
【００３９】
ここで、導風部５２は、外方側に向って漸次幅が狭くされ、ファン周速の速い外方側の幅が狭く、ファン周速の遅い内方側の幅が広い形状とされているため、導風部５２と軸流ファン４のファンブレード４２との間の圧力干渉に伴う離散周波数騒音を低減することができる。また、導風部５２のファン回転方向先行側縁部５３が滑らかな円弧状とされているため、軸流ファン４から旋回流として吹き出される吹出し風の風向を滑らかに変更して遮熱板５の内面側へと誘導することができる。さらに、導風部５２および遮熱板５の吹出し風を受ける内面側が僅かに凹状５５とされているため、吹出し風を効率的に遮熱板５の内面側の中央部へと導風することができる。
【００４０】
このため、モータ３の背面側と遮熱板５の内面側との間の隙間５１に効果的に冷却風を導入し、モータ３周辺部の冷却効果を高めることができる。従って、ファンモータ１の自己冷却機能の向上とファン騒音の低減とを両立させ、外部輻射熱や自己発熱による熱害やトラブル等の発生、あるいはファン騒音やファン性能およびファン効率の悪化等を確実に防止することができる。また、導風部５２を外方側に向って漸次幅を狭くした形状とするに当り、ファン回転方向追従側縁部５４を直線状としているため、外方側（先端側）の幅を狭くしながら、導風部５２として必要な導風面積を確保することができる。これによって、必要かつ十分な量の冷却風を遮熱板５の内面側に導き、モータ３周りの冷却効果を高めることができる。
【００４１】
［第２実施形態］
次に、本発明の第２実施形態について、図４を用いて説明する。
本実施形態は、上記した第１実施形態に対して、導風部５２にガイド部５６，５７を設けた構成としている点が異なっている。その他の点については、第１実施形態と同様であるので説明は省略する。
本実施形態においては、図４に示されるように、導風部５２のファン回転方向先行側縁部５３に、送風方向Ｂ、すなわち軸流ファン４からの吹出し風の吹き出し方向の上流側に折り曲げられたガイド部５６を設けるとともに、ファン回転方向追従側縁部５４に、送風方向Ｂ、すなわち軸流ファン４からの吹出し風の吹き出し方向の下流側に折り曲げられたガイド部５７を設けた構成としている。
【００４２】
上記の構成によると、ファン回転方向追従側縁部５４に設けたガイド部５７によって軸流ファン４からの吹出し風を導風部５２に誘導し、ファン回転方向先行側縁部５３に設けたガイド部５６によって導風部５２に誘導された吹出し風の通り抜けを防止することができる。このため、吹出し風の捕捉を促進して、遮熱板５の内面側に冷却風を効果的に導風することができる。従って、必要かつ十分な量の冷却風を遮熱板５の内面側に導き、モータ３周りの冷却効果を高めることができる。
【００４３】
［第３実施形態］
次に、本発明の第３実施形態について、図５を用いて説明する。
本実施形態は、上記した第１および第２実施形態に対して、導風部５２を複数箇所に設けた構成としている点が異なっている。その他の点については、第１および第２実施形態と同様であるので説明は省略する。
本実施形態では、図５（Ａ）に示すように、遮熱板５の外周部に導風部５２を１箇所設けた上記実施形態に対して、図５（Ｂ）に示すように、導風部５２を所定のピッチ角で２箇所に設けた構成、あるいは、図５（Ｃ）に示すように、導風部５２を所定のピッチ角で３箇所に設けた構成とすることができる。
【００４４】
上記のような構成とすることにより、ファンモータ１の容量増大や設置環境温度の上昇等に対応すべく、冷却性能を向上させる必要が生じた場合、導風部５２を遮熱板５の外周部に所定のピッチ角で２箇所以上設けることによって、冷却能力を簡単に増大することができる。このため、冷却性能の向上が求められた際にも容易に対応することができる。
【００４５】
また、上記のように、導風部５２を２箇所以上に設ける場合、そのピッチ角を軸流ファン４のファンブレード４２のピッチ角の非整数倍とすることが望ましい。例えば、ファンブレード４２の枚数が８枚の場合は、ファンブレード４２のピッチ角は４５度（３６０度／８）であるため、複数の導風部５２のピッチ角を４５度の整数倍（例えば、９０度、１８０度等）とするのは避けた方がよい。これにより、特定の周波数領域での圧力干渉に伴う離散周波数騒音の増大を防止することができ、ファン騒音を確実に抑制しながら、冷却能力の増大を図ることができる。
【００４６】
［第４実施形態］
次に、本発明の第４実施形態について、図６を用いて説明する。
本実施形態は、上記した第１ないし第３実施形態に対して、遮熱板５の外周縁部に円弧状ガイド部５８を設けた構成としている点が異なる。その他の点については、第１ないし第３実施形態と同様であるので説明は省略する。
本実施形態では、図６に示すように、遮熱板５の導風部５２を除く外周縁部に、送風方向Ｂ、すなわち軸流ファン４からの吹出し風の吹き出し方向の下流側に折り曲げられた円弧状ガイド部５８を設けた構成としている（図２も参照）。
【００４７】
上記のように、遮熱板５の外周縁部に円弧状ガイド部５８を設けることにより、導風部５２により遮熱板５の内面側に導入され、モータ３周りを冷却した後その外周部から吹き出される冷却風と、軸流ファン４から吹き出される吹出し風とをスムーズに合流して下流側に流すことができる。このため、冷却風量を増大し、自己冷却性能を向上させることができるとともに、吹出し風の乱れによる騒音発生を防止することができる。
【００４８】
［第５実施形態］
次に、本発明の第５実施形態について、図６を用いて説明する。
本実施形態は、上記した第１ないし第４実施形態に対して、遮熱板５の外周部位に円錐状のスロープ５９を設けた構成としている点が異なる。その他の点については、第１ないし第４実施形態と同様であるので説明は省略する。
本実施形態においては、図６に示されるように、遮熱板５の外周部位に、中央部から送風方向Ｂ、すなわち軸流ファン４からの吹出し風の吹き出し方向の風上側に向って円錐状の比較的なだらかなスロープ５９を設けた構成としている（図２も参照）。
【００４９】
上記のように、遮熱板５の外周部位に円錐状のなだらかなスロープ５９を設けることにより、モータ３の背面と遮熱板５との間の隙間５１の断面積を外周部位ほど漸次小さくすることができるため、導風部５２によって遮熱板５の内面側に導入され、モータ３周りを冷却した冷却風を減速することなく、遮熱板５の外周部から通風路中へと吹き出すことができる。これにより、遮熱板５の内面側の圧力上昇を抑制して冷却風量の増大を図り、自己冷却性能を向上させることができる。
【００５０】
［第６実施形態］
次に、本発明の第６実施形態について、図７を用いて説明する。
本実施形態は、上記した第１ないし第５実施形態に対して、導風部５２の配置方向を特定している点が異なっている。その他の点については、第１ないし第５実施形態と同様であるので説明は省略する。
本実施形態では、図７に示すように、遮熱板５に設けた導風部５２の円弧状としたファン回転方向先行側縁部５３を軸流ファン４の回転方向Ａに対して回転方向先行側に配置するとともに、直線状としたファン回転方向追従側縁部５４を軸流ファン４の回転方向Ａに対して回転方向追従側に配置した構成としている。
【００５１】
上記のような構成とすることにより、軸流ファン４の回転により旋回流として吹き出される吹出し風を、ファン回転方向先行側縁部５３を円弧状、ファン回転方向追従側縁部５４を直線状として外方側を漸次幅狭とした導風部５２によって、遮熱板５の半径方向中心側へと偏向し、遮熱板５の内面側に効率的に誘導することができる。これにより、導風部５２とファンブレード４２との間の圧力干渉に伴う離散周波数騒音を抑制しつつ、軸流ファン４からの吹出し風をモータ３と遮熱板５との間の隙間５１に冷却風として効果的に導入し、モータ３周りの冷却効果を高めることができる。このため、ファンモータ１の自己冷却機能の向上とファン騒音の低減とを両立させ、外部輻射熱や自己発熱による熱害やトラブル等の発生、あるいはファン騒音やファン性能およびファン効率の悪化等を確実に防止することができる。
【００５２】
［第７実施形態］
次に、本発明の第７実施形態について、図１に基づいて説明する。
本実施形態は、上記した第１ないし第６実施形態に対して、導風部５２の配置位置を特定している点が異なっている。その他の点については、第１ないし第６実施形態と同様であるので説明は省略する。
本実施形態では、図１に示されるように、導風部５２がシュラウド２の放射状に設けられた支持桁２３の少なくとも１つと重なり合う位置に配置されるように遮熱板５をシュラウド２に固定支持した構成としている。
【００５３】
上記のように、導風部５２をシュラウド２の支持桁２３の少なくとも１つと重なり合う位置に配置することにより、導風部５２によってもシュラウド２を構成する支持桁２３の一部を遮熱することができる。このため、遮熱板５本来の機能である遮熱機能をより充実させることができる。
【００５４】
また、遮熱板５の導風部５２は、上記によらず、シュラウド２の複数の支持桁２３の間に配置されるようにしてもよい。このように、導風部５２をシュラウド２の複数の支持桁２３の間に配置することによって、支持桁２３に邪魔されることなく、軸流ファン４からの吹出し風を導風部５２により遮熱板５の内面側に誘導することができる。このため、必要かつ十分な量の冷却風を遮熱板５の内面側に導くことができるため、モータ３周りの冷却効果を高めることができる。
【００５５】
［第８実施形態］
次に、本発明の第８実施形態について、図８を用いて説明する。
本実施形態は、上記した第１ないし第７実施形態に対して、遮熱板５の固定構造を特定している点が異なっている。その他の点については、第１ないし第７実施形態と同様であるので説明は省略する。
本実施形態において、シュラウド２のモータ保持部２４に固定支持される遮熱板５および／またはモータ３の固定部６０位置、すなわち固定ボルト位置は、図８に示されるように、遮熱板５の外周部よりも内周側位置の円周上等間隔位置に３箇所配設された構成とされている。
【００５６】
上記のように、モータ保持部２４に対して遮熱板５および／またはモータ３を固定するための固定部６０の位置（固定ボルト位置）を、遮熱板５の外周部よりも内周側位置に配設することにより、熱源に晒される遮熱板５本体や自己発熱するモータ３の固定部６０を遮熱板５の内面側に導入される冷却風によって、効果的に冷却することができる。
このため、外部輻射熱や自己発熱によって、固定ボルトが弛んだり、固定部が熱変形あるいは溶融したりしてモータ３および軸流ファン４の位置がずれ、シュラウド２に干渉して回転不能あるいは破損する等の熱害やトラブルの発生を確実に防止することができる。
【００５７】
なお、本発明は、上記実施形態にかかる発明に限定されるものではなく、その要旨を逸脱しない範囲において、適宜変形が可能である。例えば、遮熱板５の導風部５２を構成するファン回転方向先行側縁部５３の円弧は、厳密な円弧である必要はなく、それに類する形状であればよい。また、導風部５２のファン回転方向追従側縁部５４は、直線以外であってもよいことはもちろんである。
【図面の簡単な説明】
【００５８】
【図１】本発明の第１実施形態にかかるファンモータの遮熱板側から見た側面図である。
【図２】図１に示すファンモータの中心部分の縦断面図である。
【図３】図１に示すファンモータの遮熱板の側面図である。
【図４】本発明の第２実施形態にかかる遮熱板の斜視図である。
【図５】本発明の第３実施形態にかかる遮熱板の斜視図である。
【図６】本発明の第４実施形態および第５実施形態にかかる遮熱板を中心部で２分するように切断した斜視図である。
【図７】本発明の第６実施形態にかかる遮熱板および軸流ファンの遮熱板側から見た側面図である。
【図８】本発明の第８実施形態にかかる遮熱板の側面図である。
【符号の説明】
【００５９】
１  ファンモータ
２  シュラウド
３  モータ
４  軸流ファン
５  遮熱板
２１  開口部
２３  支持桁
２４  モータ保持部
３１  回転軸部
４１  ハブ部
４２  ファンブレード
５１  隙間
５２  導風部
５３  ファン回転方向先行側縁部
５４  ファン回転方向追従側縁部
５６  ガイド部
５７  ガイド部
５８  円弧状ガイド部
５９  スロープ
６０  固定部
【図１】
0005072506.tif 000002
【図２】
0005072506.tif 000003
【図３】
0005072506.tif 000004
【図４】
0005072506.tif 000005
【図５】
0005072506.tif 000006
【図６】
0005072506.tif 000007
【図７】
0005072506.tif 000008
【図８】
0005072506.tif 000009